Podtech/llm-jp-corpus-v4-ja_patent huggingface dataset:
(57)【要約】【課題】滑らかで直角な神経の切断面を容易に形成できる手術用ピンセットを提供することである。【解決手段】一対の柄１ａ、１ｂの先端部２ａ、２ｂに神経を把持する凹状の隙間３を横向きに形成し、この凹状の隙間３を形成した両先端部２ａ、２ｂに、把持した神経Ａを直角に切断する刃物Ｂを通すように、位置を合わせた縦向きのスリット５を設けることにより、ピンセットの把持力を調節することなく、かつ、軟らかい神経Ａの刃物Ｂからの逃げを防止して、滑らかで直角な神経Ａの切断面を容易に形成できるようにした。【選択図】図３
2005124892.tif 000002
【特許請求の範囲】
【請求項１】
一対の柄の先端部に神経を把持する凹状の隙間を横向きに形成し、この凹状の隙間を形成した各先端部に、把持した神経を直角に切断する刃物を通すように、位置を合わせた縦向きのスリットを設けた手術用ピンセット。
【発明の詳細な説明】
【技術分野】
【０００１】
本発明は、損傷した神経を把持して切断する手術に使用する手術用ピンセットに関するものである。
【背景技術】
【０００２】
事故等で一度切れた手足等の末梢神経はなかなか元通りに繋がらないというのがこれまでの常識であったが、本発明者らは、人工チューブを使って神経を再生し、切れた神経を元通りに繋ぐ再生治療技術を最近開発した（例えば、非特許文献１参照。）。
【０００３】
この再生治療技術は、図５に示すように、切れた神経Ａの両端部を剃刀やメス等の刃物で切断したのち、切断した神経Ａの両端部を人工チューブ５１で連結し、人工チューブ５１内で神経Ａを再生させて両端部を繋ぐものであり、体になじみやすい生体材料であるポリグリコール酸（ＰＧＡ）で形成された人工チューブ５１を用い、その内部に、細胞の培養に使われるコラーゲンという蛋白質のスポンジを入れることにより、神経Ａの再生能力を活性化させることができる。なお、この人工チューブ５１は、２ヶ月程度で体内に吸収される。
【０００４】
【非特許文献１】産経新聞、平成１５年１月２０日朝刊第１３版（第８面）
【発明の開示】
【発明が解決しようとする課題】
【０００５】
上述した神経の再生治療技術では、切れた神経の両端部を直角に切断して、滑らかな切断面とすることが回復率の向上のために重要である。従来は、把持面が平坦な手術用ピンセットで切れた神経の端部を把持し、ピンセットで片持ち状態の神経端部を刃物で切断している。このため、軟らかい神経を傷つけないようにピンセットの把持力を調節するのが難しく、かつ、片持ち状態の神経端部が刃物から逃げやすいので、滑らかで直角な神経の切断面を形成することが困難であった。
【０００６】
そこで、本発明の課題は、滑らかで直角な神経の切断面を容易に形成できる手術用ピンセットを提供することである。
【課題を解決するための手段】
【０００７】
上記の課題を解決するために、本発明の手術用ピンセットは、一対の柄の先端部に神経を把持する凹状の隙間を横向きに形成し、この凹状の隙間を形成した各先端部に、把持した神経を直角に切断する刃物を通すように、位置を合わせた縦向きのスリットを設けた構成を採用した。
【０００８】
すなわち、凹状の隙間を横向きに形成した先端部で神経を把持することにより、ピンセットの把持力の調節を不要とするとともに、把持した神経を直角に切断する刃物を通す縦向きのスリットの両側で神経を把持することにより、軟らかい神経が刃物から逃げないようにした。
【発明の効果】
【０００９】
本発明の手術用ピンセットは、一対の柄の先端部に神経を把持する凹状の隙間を横向きに形成し、この凹状の隙間を形成した各先端部に、把持した神経を直角に切断する刃物を通すように、位置を合わせた縦向きのスリットを設けたので、ピンセットの把持力を調節することなく、かつ、軟らかい神経の刃物からの逃げを防止して、滑らかで直角な神経の切断面を容易に形成することができる。
【発明を実施するための最良の形態】
【００１０】
以下、図面に基づき、本発明の実施形態を説明する。この手術用ピンセットは、図１に示すように、基端側を結合され、ばね鋼で形成された一対の柄１ａ、１ｂを交叉させて、その先端部２ａ、２ｂを閉じ側に付勢したものであり、両柄１ａ、１ｂを押圧することにより先端部２ａ、２ｂが開くようになっている。
【００１１】
図２（ａ）に示すように、一方の先端部２ａは外側に湾曲しており、他方の先端部２ｂとの間に凹状の隙間３が横向きに形成されている。なお、先端部２ｂには、横向きの浅い凹面４も形成されている。また、図２（ｂ）に示すように、これらの先端部２ａ、２ｂには、位置を合わせた縦向きのスリット５が設けられている。
【００１２】
図３は、上記手術用ピンセットを用いて、切れた神経Ａの端部を切断する状態を示す。神経Ａの端部は前記先端部２ａ、２ｂ間の隙間３に把持され、剃刀等の刃物Ｂを縦向きのスリット５に通すことにより、隙間３に把持された神経Ａの端部が直角で滑らかな切断面に切断される。
【００１３】
図４は、前記先端部２ａ、２ｂ間の隙間３の変形例を示す。この変形例では、両方の先端部２ａ、２ｂが外側に湾曲して、両者の間に凹状の隙間３が横向きに形成されている。なお、隙間３の大きさは、再生治療される神経の太さに応じて設計される。
【００１４】
上述した実施形態では、一対の柄の先端部を閉じ側に付勢したものとしたが、本発明に係る手術用ピンセットの柄の形態は任意に設計することができ、一対の柄の先端部を開き側に付勢したものとすることもできる。
【図面の簡単な説明】
【００１５】
【図１】手術用ピンセットの実施形態を示す外観斜視図
【図２】ａは図１の要部拡大側面図、ｂはａの平面図
【図３】図１の手術用ピンセットで神経を切断する状態を示す斜視図
【図４】図２（ａ）の変形例を示す側面図
【図５】神経の再生治療方法を説明する概念図
【符号の説明】
【００１６】
１ａ、１ｂ  柄
２ａ、２ｂ  先端部
３  隙間
４  凹面
５  スリット
【図１】
2005124892.tif 000003
【図２】
2005124892.tif 000004
【図３】
2005124892.tif 000005
【図４】
2005124892.tif 000006
【図５】
2005124892.tif 000007
(57)【要約】【課題】本発明は、輪状絶縁カバーの突片のテーパ面を介してステータの突出磁極を嵌入させ、組立作業性を向上させることを目的とする。【解決手段】本発明によるレゾルバの絶縁キャップ構造は、各突片(1)のコ字部(2)にテーパ面(4A)を形成し、このテーパ面(4A)を介してステータ(10)の突出磁極(12)を嵌入することにより、ステータ(10)の両端面(11、11)に輪状絶縁カバー(5、5)を取付ける構成である。【選択図】図４
2005124285.tif 000002
【特許請求の範囲】
【請求項１】
全体形状が輪状をなし内方へ向けて突出する複数の突片(1)を有すると共にステータ(10)の端面(11)に設ける輪状絶縁カバー(5)と、前記突片(1)間に形成された凹部(6)とを備え、前記ステータ(10)の両端面(11)に前記各輪状絶縁カバー(5)を設け、前記突片(1)にステータ巻線(20)を巻回するようにしたレゾルバの絶縁キャップ構造において、
前記各突片(1)は断面コ字型をなすコ字部(2)を有し、前記各コ字部(2)の下部内面にはテーパ面(4A)が形成され、前記ステータ(10)の突出磁極(12)は前記テーパ面(4A)を経て前記コ字部(2)内に嵌入するように構成したことを特徴とするレゾルバの絶縁キャップ構造。
【発明の詳細な説明】
【技術分野】
【０００１】
本発明は、レゾルバの絶縁キャップ構造に関し、特に、輪状絶縁カバーの各突片のコ字部の下部内面にテーパ面を形成し、このコ字部に対するステータの突出磁極の嵌入を容易化するための新規な改良に関する。
【背景技術】
【０００２】
従来、用いられて板この種のレゾルバとしては、後述の特許文献１〜３の構成を挙げることができるが、何れの場合も、輪状絶縁カバーの各突片１に形成されたコ字型をなすコ字部２の下部内面３には直角状の直角部４が形成されている。
【０００３】
【特許文献１】特開平８−１７８６１１号公報
【特許文献２】特開平４−１６９８１６号公報
【特許文献３】米国特許第５９２０１３５号明細書
【発明の開示】
【発明が解決しようとする課題】
【０００４】
従来のレゾルバは以上のように構成されていたため、次のような課題が存在していた。
すなわち、図７で示されるコ字部内にステータの突出磁極を嵌入する場合、この突出磁極の外面形状も角形であるため、このコ字部の直角部に嵌入しようとすると、隙間が殆んどないため、入りにくく、作業性の向上を得ることが極めて困難であった。
【課題を解決するための手段】
【０００５】
本発明によるレゾルバの絶縁キャップ構造は、全体形状が輪状をなし内方へ向けて突出する複数の突片を有すると共にステータの端面に設ける輪状絶縁カバーと、前記突片間に形成された凹部とを備え、前記ステータの両端面に前記各輪状絶縁カバーを設け、前記突片にステータ巻線を巻回するようにしたレゾルバの絶縁キャップ構造において、前記各突片は断面コ字型をなすコ字部を有し、前記各コ字部の下部内面にはテーパ面が形成され、前記ステータの突出磁極は前記テーパ面を経て前記コ字部内に嵌入するようにした構成である。
【発明の効果】
【０００６】
本発明によるレゾルバの絶縁キャップ構造は、以上のように構成されているため、次のような効果を得ることができる。
すなわち、輪状絶縁カバーの各突片のコ字部の下部内面にテーパ面が形成されているため、コ字部内へのステータの突出磁極の嵌入が容易となり、組立の作業性を大幅に向上させることができる。
【発明を実施するための最良の形態】
【０００７】
本発明は、輪状絶縁カバーの各突片のコ字部の下部内面にテーパ面を形成することにより、ステータの突出磁極の嵌入を容易化することを目的とする。
【実施例】
【０００８】
以下、図面と共に本発明によるレゾルバの絶縁キャップ構造の好適な実施の形態について説明する。
尚、従来例と同一又は同等部分には同一符号を付して説明する。
図１及び図２は、全体形状が輪状をなし内方へ向けて突出する複数の突片１を有する輪状絶縁カバー５を示している。
前記各突片１間には凹部６が形状され、この各突片１は、図４に示されるように、断面コ字型をなすコ字部２の下部内面３には、外側へ向けて拡がる状態のテーパ面４Ａが形成されている。
【０００９】
前記輪状絶縁カバー５は、輪状鉄心からなるステータ１０に対し、その両端面１１、１１に接合させ、このステータ１０の各突出磁極１２がこのテーパ面４Ａを経てコ字部２内へ嵌入するように構成されている。
【００１０】
図５及び図６は、前述の各輪状絶縁カバー５、５をステータ１０の両端面１１、１１に接合させ、ステータ１０の全面を覆った状態を示しており、この各突出磁極１２の外周には各突片１を両端面１１、１１に接合した状態でステータ巻線２０が図示しない自動巻線機を介して巻回されている。
【００１１】
従って、前述のように、ステータ１０に対して、その両端面１１、１１に、１対の輪状絶縁カバー５、５を接合して取付ける場合、図４に示されるテーパ面４Ａを介してステータ１０の各突出磁極１２がスムーズにコ字部２内に嵌入し、ステータ１０の両端面１１、１１に対する各輪状絶縁カバー５、５の接合を完了することができる。
【産業上の利用可能性】
【００１２】
本発明は、レゾルバだけではなく、複数の突片を輪状に有する部品を、相手方に嵌め合わせるようなモータのステータ等に対しても適用できる。
【図面の簡単な説明】
【００１３】
【図１】本発明によるレゾルバの絶縁キャップ構造の輪状絶縁カバーを示す平面図である。
【図２】図１の右側面図である。
【図３】図１のＣ部の拡大図である。
【図４】図３のＡ−Ａ断面図である。
【図５】図１の輪状絶縁カバーをステータに接合して装着した状態を示す平面図である。
【図６】図５のＢ−Ｂ断面図である。
【図７】従来の突片の断面図である。
【符号の説明】
【００１４】
１    突片
２    コ字部
３    下部内面
４Ａ    テーパ面
５    輪状絶縁カバー
６    凹部
１０    ステータ
１１    端面
１２    突出磁極
２０    ステータ巻線
【図１】
2005124285.tif 000003
【図２】
2005124285.tif 000004
【図３】
2005124285.tif 000005
【図４】
2005124285.tif 000006
【図５】
2005124285.tif 000007
【図６】
2005124285.tif 000008
【図７】
2005124285.tif 000009
(57)【要約】      （修正有）【課題】  電柱に対する取付け、取外しが簡単で、取扱い上好適な製品を提供する。【解決手段】  電柱用注意標識Ａは、基部１に二又に分岐した挟持部２，２を対称的に突設して一側開口の、湾曲状の平面視凹入係止空域３を設け、該平面視凹入係止空域３の開口端側すなわち前記挟持部２の自由端部に先端方向に漸次互いに離開させた案内部４を連設して該案内部４，４間の、前記平面視凹入係止空域３に連通する末広がり状の空隙を案内空隙５と成した袋体で構成し、空気の注入して膨ませ、窓口８を利用して電柱Ｄに係合する。【選択図】図１
2005124276.tif 000002
【特許請求の範囲】
【請求項１】
空気の注入によって膨らみ、しかも、縁部が電柱周面に圧接する、一側開口の弯曲状の平面視凹入係止空域を設けた袋体で成る電柱用注意標識。
【発明の詳細な説明】
【技術分野】
【０００１】
本発明は、柱上作業時に電柱に取付けて装柱機器などに対する注意を喚起して、該装柱機器などの接触による不測の事故の発生を防止するために用いる電柱用注意標識に関するものである。
【背景技術】
【０００２】
柱上作業中に柱上変圧器との接触を回避するために、電柱に支持金具を取付け、該支持金具に突設した一対の支持棒にシート材を支持させ、該シート材によって柱上変圧器の下側を被うようにした構造のものがある（例えば、特許文献１）。
【０００３】
【特許文献１】特開２０００−６０９８２号公報
【発明の開示】
【発明が解決しようとする課題】
【０００４】
前記従来例は、一対の支持棒を支持金具を介して電柱に突設し、かつ、支持棒にシート材を支持させるようにするため、広い取付け空間を必要とし、その分適用範囲が限られ、また、取付け作業が煩雑でもある。
【０００５】
本発明は斯様な従来例の欠点に着目して創案したものである。
【課題を解決するための手段】
【０００６】
空気の注入によって膨らみ、しかも、縁部が電柱周面に圧接する、一側開口の弯曲状の平面視凹入係止空域を設けた袋体で構成するのである。
【発明の効果】
【０００７】
本発明の電柱用注意標識によれば、電柱に取付けて機器、ケーブルなどの存在について注意を柱上作業者に喚起させることができることは勿論、電柱の径と弯曲状の凹入係止空域との係合関係によって電柱に取り付けることができるから、電柱のどの高さ位置においても自在に、かつ、簡単に取付けられ、特別な取付け空間を必要としない。また、電柱にアース線用などの立上り管が設置してあっても空気の入った袋体という変形可能な性質を利用して不都合なく取付けられ適用上の制約がない。
【０００８】
そして、必要なときは空気を注入し、不要なときは空気を排出させてシート状にして保管、管理ができるから取扱い上も好適である。
【実施例】
【０００９】
図面は本発明に係る電柱用注意標識の一実施例を示し、図１は平面図、図２は使用状態を示す正面図である。
【００１０】
実施例の電柱用注意標識Ａは、柱上作業時に、装柱した、例えば、柱上変圧器Ｔの下側の適所において電柱Ｄに取付け、該標識Ａの上方に前記柱上変圧器Ｔが存在する旨の注意を喚起するために用いるもので、柱上変圧器Ｔ以外の装柱機器或いは高圧線ケーブル等の存在を明確に表示するために用いる場合もあり、柱上作業前に電柱の適所に取付ける。
【００１１】
そして、電柱用注意標識Ａは、基部１に二又に分岐した挟持部２，２を対称的に突設して一側開口（挟持部２の自由端側開口）の、弯曲状の平面視凹入係止空域３を設け、該平面視凹入係止空域３の開口端側すなわち前記挟持部２の自由端部に先端方向に漸次互いに離開させた案内部４を連設して該案内部４，４間の、前記平面視凹入係止空域３に連通する末広がり状の空隙を案内空隙５と成した袋体で構成し、一方の前記挟持部２の基部側に設けた、閉塞栓６付の空気注入排出口７を通じて空気を注入することによって形成される。
【００１２】
なお、基部１には窓口８を設け、この窓口８に指先を入れて電柱Ｄに対する取付け、取外し操作を円滑に行うようにしてある。
【００１３】
しかして、空気注入排出口７から適宜の手段を用いて空気を注入して膨ませ、窓口８を利用して標識Ａを手先で支持して案内部４，４間の案内空隙５に電柱Ｄが係合する関係にして電柱Ｄ方向に押し込むと、案内空隙５から電柱Ｄ位置へと平面視凹入係止空域３が移動し、該平面視凹入係止空域３を構成する前記挟持部２の縁部２ａの一部又は全部が電柱Ｄ周面に圧接して電柱Ｄの適所に取付けられ、該取付け状態が縁部２ａの電柱Ｄ周面に対する圧接によって（接触抵抗によって）維持され所期の機能を期待するのである。
【００１４】
電柱用注意標識Ａは、装柱した柱上変圧器などの危険物の存在を柱上作業員に意識させるものであるから、目立つ色彩を施したものが望ましいことはいうまでもないところで、素材的には絶縁性の合成樹脂やゴム等のシート体を用いた袋体で構成すべきである。
【００１５】
なお、標識Ａは装柱時においては電柱Ｄから可及的に突出させた方が作業員に対して注意を喚起することができ、少くとも注意を喚起できる程度の突出量となるように構成すべきである。
【図面の簡単な説明】
【００１６】
【図１】平面図。
【図２】使用状態を示す正面図。
【符号の説明】
【００１７】
２ａ    縁部
３      平面視凹入係止空域
【図１】
2005124276.tif 000003
【図２】
2005124276.tif 000004
(57)【要約】【課題】    同軸ケーブルの接続のための先端部加工を容易にするための、形状と加工方法を提供する。【解決手段】    同軸ケーブルを、さや（５）にはさむか、被膜（６）によって固めて先端部を円錐形に加工することを特徴とする。【選択図】    図１
2005124379.tif 000002
【特許請求の範囲】
【請求項１】
同軸ケーブル（１）の先端を円錐形とする接続部の形状。
【請求項２】
同軸ケーブル（１）を、さや（５）にはさみこんだ請求項１の加工方法。
【請求項３】
同軸ケーブル（１）を、被膜（６）でおおった請求項１の加工方法。
【発明の詳細な説明】
【発明の詳細な説明】
【技術分野】
【０００１】  本発明は、接続金具と簡単に取り付けられる形状にするための、同軸ケーブル接続部形状及びその加工方法に関するものである。
【背景技術】
【０００２】  従来の接続方法は、同軸ケーブルの外被を除去したうえ、外導電線を折り返すか、別方向に引き出していた。
【発明が解決しようとする課題】
【０００３】  従来の同軸ケーブルの接続方法では、外被の除去と外導電線の接続のための前加工で、時間と技術を要した。
【課題を解決するための手段】
【０００４】  本発明は、同軸ケーブル（１）を、木材又は合成樹脂のさや（５）にはさむか又は、外被を合成樹脂の被膜（６）で固めて、鉛筆をけずるのと同様の加工を行い、接続部形状を円錐形にすることにより、加工時間の短縮ができ、技術も容易である。
【発明を実施するための最良の形態】
【０００５】  以下、本発明の実施の形態を説明する。
同軸ケーブルを鉛筆をけずるのと同様の加工を行い、先端を円錐形にする。【０００６】  上記加工をするにあたって同軸ケーブルの外被を、中心に同軸ケーブルの外径にあわせて円形にみぞをほった、木材又は合成樹脂のさやにはさむ。【０００７】  又は同軸ケーブルの外被を合成樹脂によって固め、先端部の加工を行う。
【発明の効果】
【０００８】  この発明によって、容易に先端部の加工ができ、接続金具の取り付けも容易である。
【０００９】  また、同軸ケーブルを、さやではさむか、被膜で固めることによって、加工時の同軸ケーブルのねじれや曲がりを防止することができる。
【図面の簡単な説明】
【図１】  本発明の斜視図である。
【図２】  本発明の同軸ケーブル内部を省略した断面図である。
【図３】  本発明の同軸ケーブル内部を省略した断面図である。
【符号の説明】
１  同軸ケーブル
２  外導電線
３  内被
４  中導電線
５  さや
６  被膜
【図１】
2005124379.tif 000003
【図２】
2005124379.tif 000004
【図３】
2005124379.tif 000005
(57)【要約】      （修正有）【課題】少しの電気の利用でより多くの電気を取り出して使用できるようにする。【解決手段】筒本体を立ててその一番下のプロペラファンを上向きにしてその上に間隔をあけていくつものプロペラファンを多重に取り付ける。そして各々プロペラの下又は上でもよいので発電モーターを取り付ける。筒本体が倒れないように基礎にアンカーボルトで固定。外電スイッチを入れると起動プロペラが回って下から上に向かって風がおきる。その風により次から次とプロペラファンが回って発電を始めることを特徴としている。【選択図】図１
2005124380.tif 000002
【特許請求の範囲】
【請求項１】
筒の端部のモーター起動プロペラを筒内部に向けて回して風を吹き込み、筒内部の多数の発電用プロペラを動かすことによって発電する装置を特徴とする。又、筒本体の横向き、筒の中間に起動プロペラがある形態も含む。
【発明の詳細な説明】
【発明の詳細な説明】
【０００１】
【技術分野】
【０００２】本発明は、電気をつくる発電装置である。
【背景技術】
【０００３】プロペラ発電は風がなければ電気がつくれない。ソーラー発電は曇り空、雨降りでは電気をつくれない。
【発明が解決しようとする課題】
【０００４】本発明はプロペラ発電とソーラー発電に欠点があるために考案された。
【発明を実施するための最良の形態】
【０００５】筒内部に発電用プロペラを多数に取り付ける。筒端部にモーター起動プロペラを取り付ける。電力会社から電気を引き込んで筒端部のモーター起動プロペラを作動させ筒内部に風を吹き込み、内部の多数に取り付けた発電用プロペラを回すことにより発電する装置である。
【実施例】
【０００６】▲１▼の本体内部に多数のプロペラを取り付ける。筒（本体）端部の起動用プロペラを▲１１▼の起動モーターで筒内部に向け、電力会社の電気を引き入れて回す。そして多数のプロペラが一斉に回り始め電気を生み出すことができる。
【発明の効果】
【０００７】１日２４時間必ず発電するのでムダがない。無風状態も安心。そのうえ雨降りでも発電するので効果が大である。作動音も静かである。
【図面の簡単な説明】
【図１】断面図
【図２】平面図
【符号の説明】
▲１▼本体（筒）▲２▼プロペラ発電モーター▲３▼フタ金網▲４▼安全金網▲５▼本体受け金具▲６▼外電気スイッチ（入電）▲７▼アンカーボルト▲８▼基礎▲９▼線▲１０▼起動モーターとプロペラ
【図１】
2005124380.tif 000003
【図２】
2005124380.tif 000004
(57)【要約】【課題】  踏み台をキャビネット内に収納した状態であっても、前方からの見栄え上、脚が目立つのを抑制することができるキャビネットを提供する。【解決手段】  キャビネットＡにおいて、下面１ａに脚２を有するとともに前端に前板１ｂを備える踏板１と、踏板１を出し入れ自在に収納する収納部３と、を備え、踏板１の脚２は折曲自在となっており、踏板１は、前記収納部３内に一部を残すように引き出されるとともに、この収納部３と脚２とにより支えられ、前記脚２は、折曲したときには、前記前板１ｂの下端１ｃよりも上方に配置する。【選択図】図１
2005124969.tif 000002
【特許請求の範囲】
【請求項１】
下面に脚を有するとともに前端に前板を備える踏板と、踏板を出し入れ自在に収納する収納部と、を備え、踏板の脚は折曲自在となっており、踏板は、前記収納部内に一部を残すように引き出されるとともに、この収納部と脚とにより支えられ、
前記脚は、折曲したときには、前記前板の下端よりも上方に配置することを特徴とするキャビネット。
【発明の詳細な説明】
【技術分野】
【０００１】
本発明は、キャビネットに関し、詳しくは、引出式のキャビネットにおいて、踏み台を出し入れ自在に設けることが出来るキャビネットに関するものである。
【背景技術】
【０００２】
従来、踏み台構造として、脚５１を前面５２ａに有する踏板５２と、この踏板５２を出し入れ自在に納める収納部５３とを備えており、前記収納部５３内に一部を残すように引き出される踏板５２が、収納部５３と脚５１とにより支えられる構造の例が、特許文献１に記載されている。このものにあっては、脚５１を前面５２ａに備えており、脚５１を回動させて床面５に当接して踏板５２を支える構造となっている。
【０００３】
ところで、このものにあっては、前面５２ａに脚５１を備えているので、収納した状態においても、脚５１が前方に露出されている為、見栄えが良くない。
【特許文献１】特開平１０−１４６２４４号公報
【発明の開示】
【発明が解決しようとする課題】
【０００４】
本願発明は、上記従来の背景技術に鑑みて発明されたものであり、その課題は、踏み台をキャビネット内に収納した状態であっても、見栄え上、前方から脚が目立つのを抑制することができるキャビネットを提供することである。
【課題を解決するための手段】
【０００５】
上記課題を解決するために、本願発明は、キャビネットにおいて、下面１ａに脚２を有するとともに前端に前板１ｂを備える踏板１と、踏板１を出し入れ自在に収納する収納部３と、を備え、踏板１の脚２は折曲自在となっており、踏板１は、前記収納部３内に一部を残すように引き出されるとともに、この収納部３と脚２とにより支えられ、前記脚２は、折曲したときには、前記前板１ｂの下端１ｃよりも上方に配置することを特徴とする。
【発明の効果】
【０００６】
本願発明のキャビネットにあっては、踏板１の下面１ａに折曲した状態の脚２を備え、さらに踏板１の前端に前板１ｂを備えており、その脚２が、前板１ｂの下端１ｃよりも上方に配置されているので、前方から見たときには、折曲した脚２が前板１ｂにより覆われているので、見栄え上、脚２が目立つことが抑制される。
【発明を実施するための最良の形態】
【０００７】
図１は、本願の請求項１に対応した一実施形態であるキャビネットＡを示している。
【０００８】
キャビネットＡには、最下段には引出４が設けられている。そしてその引出４の上方には、収納部３から引出自在の踏板１が設けられている。踏板１の前端には前板１ｂが設けられている。そしてこの前板１ｂは、踏板１がキャビネットＡの収納部３へ収納されたときは、キャビネットＡの引出４の前板４ａと略面一となっている。
【０００９】
踏板１について説明する。踏板１は、下面１ａには脚２がヒンジ２ａを中心に、回動し折曲できるようになっている。図１（ａ）は脚２が折曲した状態を、図１（ｂ）は脚２がヒンジ２ａを中心に回動して開いた状態を、それぞれ示すものである。
【００１０】
脚２には、開きずぎることを抑えるために、踏板１下面１ａと脚２との間に、リンク５が設けられている。また、脚の長さｎは、踏板１下面１ａと床面６との距離ｍよりも長い状態である。従って脚２を広げたときに、踏板１に人が載ったときに、この脚２が踏板１に戻ることは抑制される。
【００１１】
また踏板１の前板１ｂの下端１ｃの高さは、脚２を折曲した状態においては、図１（ａ）に示すように、脚２の位置より低くなっている。従って、踏板１をキャビネットＡ内に収納したときには、脚２は前方から見えない状態となる。さらに、上述のように、踏板１の前板１ｂとキャビネットＡの引出４の前板４ａと面一の状態となるので、踏板１をキャビネットＡ内に収納した時は、キャビネットＡの構成として、外観上すっきりとした見栄えとなる。
【図面の簡単な説明】
【００１２】
【図１】本願発明の一実施形態であるキャビネットを使用状態を示す側面図であって、（ａ）は脚２を閉じたときの状態、（ｂ）は脚２を広げた状態を示すものである。
【図２】従来例であるキャビネットの使用状態を示す断面図である。
【符号の説明】
【００１３】
Ａ    キャビネット
１    踏板
１ａ  下面
１ｂ  前板
２    脚
３    収納部
【図１】
2005124969.tif 000003
【図２】
2005124969.tif 000004
(57)【要約】      （修正有）【課題】黒糖を使った風味豊かな香ばしい新規な黒糖綿菓子を圧縮プレートで均一に空気を抜いた収縮しにくい綿菓子を提供する。【解決手段】黒糖に３０％〜７０％の砂糖を加えることで成功した。又圧縮プレートで圧縮することにより、空気が均一に抜け、新規な食感の収縮しにくい綿菓子ができた。【選択図】  図２
2005124560.tif 000002
【特許請求の範囲】
【請求項１】
黒糖をベースに糖類を混合させた原料から作る事を特徴とする新規な黒糖綿菓子の製造方法
【請求項２】
圧縮するプレートの上部に穴をあけ圧縮すると空気が抜け、綿が均一になる事を特徴とする
【発明の詳細な説明】
【技術分野】
【０００１】本発明は、黒糖に砂糖を混合することによって、今までできなかった風味のある黒糖綿菓子ができた。又、上部に穴のあいたプレートで綿菓子を圧縮することで綿菓子の中の空気を均一に抜くことができ、従来の綿菓子とは異なる食感の収縮しにくい綿菓子を提供できる。
【背景技術】
【０００２】従来の綿菓子は砂糖のみが砂糖に着色した糖材で出来ていたが、その両方ともが砂糖のみの味しか出せなかった。
【発明の開示】
【発明が解決しようとする課題】
【０００３】黒糖を使って製造出来なかった綿菓子を作る。
【課題を解決するための手段】
【０００４】本発明は、今まで綿菓子に出来なかった黒糖に２０％〜７０％の砂糖を加える事で成功した。又、圧縮プレートの上部に穴をあけ、綿菓子を圧縮すると均一に空気を抜くことができ、新規な食感の収縮しにくい綿菓子ができた。
【発明の効果】
【０００５】以上、上記に述べたように、本発明は今まで黒糖だけでは出来なかった綿菓子を風味豊かでミネラル豊富な健康食材を作ることができた。又、圧縮プレートを使うことにより収縮しにくい新しい食感の綿菓子を提供できる。
【発明を実施するための最良の形態】
【０００６】発明を実施するための最良の形態を下記実施例をもって説明する。
【実施例】
【０００７】［実施例１］黒糖を綿菓子に入れ綿菓子を作ろうとすると綿菓子機の中で焦げてどろどろの状態になり、冷えると固体になるので綿菓子にならない。【０００８】［実施例２］黒糖に砂糖を２０％〜７０％入れることによって風味が出る。７０％以上砂糖が加わると黒糖の風味が出なくなる。又、２０％以下だと黒糖が綿菓子機の回転がまの中で焦げて、回転がまから綿が出てこない。【０００９】［実施例３］本発明では、黒糖を綿菓子機の回転がまに入れる前に黒糖に砂糖を２０％〜７０％を混合させ、それを黒糖綿菓子の原料として完成させた。【００１０】［実施例４］上部に穴のあかない圧縮プレートを使うと収縮された綿が固いところと軟らかいところが片寄り、形態が平均に保たれず上部に穴をあけることによって空気を均一に抜き同じ形態の収縮しにくい綿菓子ができる。【００１１】［実施例５］［図１］の（１）に（２）をあけることにより綿菓子の中の空気を均一にすることができる。［図２］は（１）で（３）を圧縮することで（４）の新しい食感の収縮しにくい綿菓子ができた。
【産業上の利用可能性】
【００１２】発明は今まで黒糖でできなかった綿菓子を作ることでより一層美味しく香ばしいミネラル豊富な健康食材を黒糖の新しい分野の使い方として提供できる。
【図面の簡単な説明】
【００１３】
【図１】本発明の斜視図
【図２】本発明の実地図
【符号の説明】
【００１４】  １．圧縮プレート
２．穴
３．綿菓子
４．収縮された綿菓子
【図１】
2005124560.tif 000003
【図２】
2005124560.tif 000004
(57)【要約】【課題】    Ａ．  腸詰つまりソーセージは何千年も前に人類により発明されたものであろうが、現在に至っても尚、そのバリエーションには革新的な変化は発生していない。いわゆる固定化、マンネリ化している。    Ｂ．  現在食生活が特にここ日本で欧米化し、種々の高カロリー食品の摂取による生活習慣病である高血圧症、心臓病、脳血栓、動脈硬化症、各種胃腸病等が蔓延し、食生活の改善が早急な解決課題として求められている。その高カロリー食品の雄がソーセージであった。【解決手段】上記課題Ａ．Ｂ．を解決する為に発明者は腸詰の根本的な固定概念を打破して、種々諸々の特に日本の伝統的な健康ダイエット食品素材をベースにし、そこに色々な具材香辛料を加味してバリエーションと健康志向を格段に高めることに成功した。【選択図】「図１」
2005124559.tif 000002
【特許請求の範囲】
【請求項１】
通常の腸詰製造過程であるミンチ、攪拌、腸詰工程において、通常豚肉がベースの具材であるのに代えてコンニャクをベース具材とし、その中に陸上調理済食材、例えばトリ肉、ゴボウ等を一緒にミンチし、味付けして、攪拌工程、腸詰工程へと進めてなるかやくコンニャク山腸詰及びその製造方法
【請求項２】
本発明請求項１の該調理済食材を海産食材例えばホタテ、エビ、カニ、コンブ等で置換してなるかやくコンニャク海腸詰及びその製造方法
【請求項３】
本発明請求項１、２のベース具材であるコンニャクを調理済芋で置換してなるかやく芋山海腸詰及びその製造法
【請求項４】
本発明請求項１、２のベース具材を調理済野菜で置換してなるかやく野菜山海腸詰及びその製造方法
【請求項５】
本発明請求項１、２のベース具材を酢漬野菜で置換してなるかやく酢漬野菜山海腸詰及びその製造方法
【請求項６】
本発明請求項１、２のベース具材をトウフで置換してなるかやくトウフ山海腸詰及びその製造方法
【請求項７】
本発明請求項１、２のベース具材を調理済モチ米にて置換してなるモチ山海腸詰及びその製造方法
【請求項８】
本発明請求項１、２のベース具材を納豆にて置換してなる納豆山海腸詰及びその製造方法
【請求項９】
本発明の請求項１〜８の味付素材として梅肉をもってしてなる各請求項腸詰
【請求項１０】
本発明請求項１〜８の味付素材としてミソをもってしてなる各請求項の腸詰
【請求項１１】
本発明請求項１〜８の味付素材としてカレー粉をもってしてなる各請求項の腸詰
【請求項１２】
本発明請求項１〜８の味付素材としてマヨネーズをもってしてなる各請求項の腸詰
【請求項１３】
本発明１〜１２に唐辛子をもって辛みを加味した事を特徴とする各請求項辛み腸詰
【請求項１４】
本発明請求項１〜１３にチーズをもってチーズ風味を加味した事を特徴とする各請求項チーズ風味腸詰
【請求項１５】
本発明請求項１〜１４にニンニクをもってニンニク風味を加味した事を特徴とする各請求項ニンニク風味腸詰
【請求項１６】
本発明請求項１〜１５にいわゆる薬膳と呼称される生薬類を加えてなる各請求項の薬膳腸詰
【発明の詳細な説明】
【技術分野】
【０００１】食品業界特には腸詰の分野に属する
【背景技術】
【０００２】従来腸詰はブタ肉をベース具材にしたものと魚肉をベース具材にした魚肉ソーセージが知られていた。又、イスラム圏では羊肉をベースにしたものも広く食されている。又、腸詰の本場ドイツ等ではブタの血を混入したものもあり、こしょうや唐辛子等で香辛料を効かせたものもあった。
【発明の開示】
【発明が解決しようとする課題】
【０００３】    Ａ．  腸詰の分野は昔からその種類、味付等が定着化しすでに固定概念化されていた。
Ｂ．  現在、特に日本や欧米では高カロリー食品の摂取過多からくる色々の生活習慣病が流行している。従って人々は高カロリー食品の雄であるソーセージ、ハム等を控える傾向にある。
【課題を解決する手段】
【０００４】これら上記、Ａ．Ｂ．の課題は腸詰に対するいわば固定化された概念に因っている事がわかる。詰り一般人が腸詰といえば豚肉ベースと言うように直感してしまう、又専門家でさえも私達は腸詰屋イコール豚肉加工屋というオートメーション的な思考範ちゅうを知らず知らずに形成していた。従ってこれらの概念を敢えて打破して本発明の諸請求項を提案した。
【０００５】健康的で低カロリーの食材をベースに又、日本人には特に親しまれているコンニャクをベース食材にした。又、キャベツの酢漬等はヨーロッパ人に好まれる食材であり、心よく受け入れられる筈である。
【発明の効果】
【０００６】    Ａ．  本発明によればまったく新しい腸詰を社会に提供する事により、人々に新しい食文化を楽しんで貰える。
Ｂ．  色々な調理方法、提供方法が派生し、それらの産業経済の活性化につながる。
Ｃ．  人々の健康に役立つ腸詰を提供する事ができる。
Ｄ．  そもそも腸詰は海外からの輸入食文化であったがこれからはより健康的で多様な腸詰を日本発信で世界に広める事ができる。
Ｅ．  本発明にかかわる腸詰の各種具材、ベースの消費拡大とそれらにたずさわる人々の経済効果もばかにならない。
【発明を実施する為の最良の形態】
【０００７】    Ａ．  本発明が提案する腸詰内容具材例えば低カロリーでビタミン豊富な野菜やコレステロールを減らす作用があると言われている各種酢漬等の腸詰ベース具材への領域拡大は今まで腸詰を食せなかったベジタリアン、生活習慣病患者等にも広く受け入れられる。
Ｂ．  又、新しい味覚、食感の多様な新領域を生み出し、食文化の一大革命を起こし一般家庭は勿論、あらゆる外食産業に利用され経済を活性化する
【実施例】
【０００８】本発明の実施例を本発明請求項１のかやくコンニャク山腸詰１について図１を参照しながらみると腸皮２の中にコンニャクベース３、調理済ゴボウ４、調理済トリ肉５が一緒にミンチ、攪拌され腸皮２に封入されている。
【産業上の利用可能性】
【０００９】    Ａ．  レストランの食材、日本料理店の食材、おでん屋の食材、サンドイッチの具材等調理商品として
Ｂ．  一般家庭のおかず、お弁当のおかず、酒の肴として
Ｃ．  病人や生活習慣病予防、肥満予防のダイエット食として
Ｄ．  繊維食品として便秘やその他胃腸病予防等にも効果が期待できる。
【図面の簡単な説明】
【００１０】
【図１】「本発明請求項１のかやくコンニャク山腸詰の実施断面図である」
【符号の説明】
【００１１】    １．  かやくコンニャク山腸詰
２．  腸皮
３．  コンニャクベース
４．  調理済ゴボウ
５．  調理済トリ肉
【図１】
2005124559.tif 000003
(57)【要約】      （修正有）【課題】人が立ったままの楽な姿勢で、草を根こそぎ引き抜くことの出来る手動の草除機。【解決手段】パイプの先にローラーと歯車を取り付けた部品１組を、パイプの上部に二つの歯車を取り付けた構造体に一本の長ボルトで組付け、ベルトと柄を取り付ける。【選択図】図１
2005124553.tif 000002
【特許請求の範囲】
【請求項１】
人が立ったままの楽な姿勢で、ローラーで草を挟み、そして梃子の力、及びローラーの回転により、草を根こそぎ引き抜くことの出来る手動の草除機。
【発明の詳細な説明】
【発明の詳細な説明】
【技術分野】
【０００１】  この発明は、庭等で雑草を清掃する際に、立ったままの楽な姿勢で草を根こそぎ引き抜くことが出来、省エネルギーの効果も得られる手動の草除機である。
【背景技術】
【０００２】  従来の草刈り機は、刃物状のものをガソリン等の燃料を使って回転させることにより、土より上のところで草を切断しているため、草の一部しか取り除いていないことになる。
その上、草刈り機の大きな音も解消されない。
【発明が解決しようとする課題】
【０００３】  従来より使用されている鎌及び草刈り機では、草の根が残るため、刈った後すぐに草が生えてくる欠点がある。
その上、従前の草刈り機は音が大きく、燃料費も必要となる。
鎌による草刈りは、かがんでする作業のため、腰等体に負担がかかる。
本発明は、これらの欠点を無くするために成されるものである。
【課題を解決するための手段】
【０００４】  今、その手段の一例を説明すると、図２のような形をしたパイプの下部に歯車の取り付けられたローラーを設ける。ただし、このローラーは回転が可能とし、歯車とローラーは同時に回転をする構造にする。そして、図３のように同じ物をもう一つ作る。なお、ローラーの表面の材質は、ゴム等滑りにくい物を使用する。
次に、図４のような形をしたパイプの上部に二つの歯車を取り付ける。なお、この二つの歯車は同時に回転をする構造にする。
次に、図２、図３、図４のそれぞれのパイプのＡ部に二ヵ所の穴を開け、破線の位置に一本のボルトを通して図５のように組合せる。ただし、図２、図３、図４のパイプはＡ部で可動状態に組合せる。
次に、図８のようにベルトを上下の歯車に輪のかたちに、そして、図９のようにベルトを上下の歯車に八の字かたちに、それぞれ取り付ける。
最後に、図４の歯車に図１０のように柄を取り付ける。
本発明は、以上の構成よりなる、図１のような形をした草除機である。
【発明を実施するための最良の形態】
【０００５】  以下、本発明の実施の形態について説明する。
図５により説明すると、（ａ）部分を手で鷲掴みをし、握ることによって（ｃ）部分で草を挟むことができる。
この時、（ａ）は力点、（ｂ）は支点、（ｃ）は作用点ということになる。（ａ）（ｂ）間が（ｂ）（ｃ）間より長くすることにより、それに比例して作用点（ｃ）に加わる力が大きくなることになる。これは、草を挟む力を強くするためである。
次に、図６は草を挟んだ時の状態を示している。続いて図１１のような方向にローラーを回転させることにより、草を巻き込むように根こそぎ引き抜くことができる。
この時、ベルトを上下の歯車に、輪のかたち（図８）と八の字のかたち（図９）に取り付けることにより、二つのローラーを逆回転させることができる。
なお、図１０に示すように、柄の長さを歯車の半径よりも長くすることにより、草を引き抜く（巻き上げる）力を大きくすることができる。
ただし、草の根が強くて深い場合は、図７のように草除機を少し斜めにすることにより、容易に引き抜くことができる。
その理由は、梃子の力によるもので、（ａ）は力点、（ｄ）は支点、（ｃ）は作用点ということになり、（ｃ）（ｄ）間より（ａ）（ｄ）間の方が長いため、それに比例して草を引き抜く力が強くなる。
【発明の効果】
【０００６】  本発明によって成される効果は、
（１）  立ったままの楽な姿勢で作業ができる。（鎌による草刈りは、かがんでする作業のため、腰等体に負担がかかる。）
（２）  草を根こそぎ引き抜くことが出来る。（清掃後、根が残らないため草が生えない。）
（３）  草除機は手動であるため、従来の草刈り機に比べ燃料費もいらなくなり、環境にもやさしい。
（４）  従来の草刈り機の大きな騒音が解消される。
（５）  手で草を引き抜くより、強い力で草を掴み、強い力で草を引き抜くことができる。
等が上げられる。
【図面の簡単な説明】
【図１】本発明の斜視図である。
【図２】本発明のパイプ、ローラー及び歯車の斜視図である。
【図３】本発明のもう一つのパイプ、ローラー及び歯車の斜視図である。
【図４】本発明のパイプ及び歯車の斜視図である。
【図５】本発明の横から見た構成図である。
【図６】本発明の草を挟んだ状態を横から見た構成図である。
【図７】本発明の草除機の草を挟んだ状態で少し斜めに倒した図である。
【図８】本発明の上下の歯車に輪のかたちにベルトを取り付けた図である。
【図９】本発明の上下の歯車に八の字のかたちにベルトを取り付けた図である。
【図１０】本発明の歯車に柄を取り付けた図である。
【図１１】本発明のローラーの回転方向を示した図である。
【図１】
2005124553.tif 000003
【図２】
2005124553.tif 000004
【図３】
2005124553.tif 000005
【図４】
2005124553.tif 000006
【図５】
2005124553.tif 000007
【図６】
2005124553.tif 000008
【図７】
2005124553.tif 000009
【図８】
2005124553.tif 000010
【図９】
2005124553.tif 000011
【図１０】
2005124553.tif 000012
【図１１】
2005124553.tif 000013
(57)【要約】【課題】  従来の揺動インキュベータを小型にしていくと中心部にある揺動回転機構が、その上部にある放熱板に冷却用の空気を十分に当てることが出来ず温度の変化範囲が狭かった。【解決手段】  中心部にあった揺動回転機構を周囲四隅に配置して中心部に空間を設けたことにより、従来あった揺動回転機構の部分にファンを設けることが出来た。このファンにより放熱板の下から冷却用の空気を十分に当てることが出来きるため揺動インキュベータを小型にしても温度の変化範囲が狭くならなくてすむ。【選択図】図１
2005124552.tif 000002
【特許請求の範囲】
【請求項１】
中心部にある揺動回転機構を周囲に配置したことにより中心部の空冷用の空気の流れをし易くし冷却をよくした構造を特徴とする揺動インキュベータ。
【請求項２】
前記揺動回転機構は、周囲四隅に偏心軸を用いたベルト揺動回転系を特徴とする請求項１記載の揺動インキュベータ。
【発明の詳細な説明】
【技術分野】
【０００１】  この発明は、ペルチェ素子等を用いた揺動回転機構を持つ揺動インキュベータの冷却の構造に関する。
【背景技術】
【０００２】  従来の揺動回転機構を持つ冷却の構造は、図２に示すように揺動回転機構が中心部に設けられたものである。
【発明の開示】
【発明が解決しようとする課題】
【０００３】  しかしながら、以上の技術によれば、揺動回転機構を備えながら冷却をすることも出来たが、図２によれば、中心にあるガイドレール（３．）と支え板（２．）、偏心軸（８．）で構成される揺動回転機構がファン（５．）で吸い込まれた空気の流れの妨げとなり冷却に必要な十分な空気を得られず冷却も十分ではなかった。【０００４】  また、放熱板（７．）や温度調整板（１．）を支える支え板（２．）があるために放熱板（７．）を機器全体を小型化する場合の限られた空間では大きくすることが出来ず、ペルチェ素子（６．）の排熱を放熱するには不十分であった。
そこで、この発明は、周囲四隅に揺動回転の機構を設けることで中心部から従来あった揺動回転の機構を無くして冷却に十分な空気の量や流れをし易くした冷却の構造と揺動回転の機構をもつ揺動インキュベータ提供することを課題とする。
【課題を解決するための手段】
【０００５】  以上の課題を解決するために、第一発明は、揺動回転機構を周囲四隅に配置したことを特徴とする揺動インキュベータである。
また、第二発明は、周囲四隅に偏心軸を用いたベルト揺動回転系であることを特徴とする揺動インキュベータである。
【発明の効果】
【０００６】  第一発明、または第二発明によれば、揺動インキュベータの周囲四隅に揺動回転機構を配置したので冷却の空気の量や流れを妨げることがなく機器を小型にしても十分な冷却が得られた。
【発明を実施するための最良の形態】
【０００７】  この発明の一実施形態を、図１に示す。
揺動インキュベータの周囲四隅は偏心軸（２２．）であり、ベルト（２４．）揺動回転機構を持つ機器の外観である。この機器の周囲四隅には偏心軸（２２．）を持つベルト（２４．）揺動回転系が設けられている。【０００８】  周囲に揺動回転機構を設けたことにより中心部にファン（２５．）を置くことが出来た。ファン（２５．）により吸い込まれた空気は、ファン（２５．）によって機器の上部にある放熱板（２１．）に冷却用の空気として導かれる。【０００９】  ペルチェ素子（２３．）は、温度調整板（２０．）を冷やすときに温度調整板（２０．）の熱を吸熱して反対側の放熱板（２１．）に排熱として伝える熱交換素子であるので特性上、ペルチェ素子（２３．）は吸熱側と排熱側にある程度の温度差が必要である。【００１０】  排熱で熱せられた放熱板（２１．）が温度上昇をして放熱板（２１．）が熱せられたままだとペルチェ素子（２３．）の熱交換の能力が鈍くなり、結果、温度調整板（２０．）を冷やす能力が鈍くなる。
この熱を放熱板（２１．）から取り除くのに下部のファン（２５．）で導かれた空気が必要となる。【００１１】  ファン（２５．）で導かれた空気を放熱板（２１．）の下部の中心に多くの空気の量と流れよく当てると放熱板（２１．）を熱しているペルチェ素子（２３．）からの排熱を空気の量と流れで機器の外に効率よく放熱することが出来る。よって、放熱板（２１．）の温度が下がりペルチェ素子（２３．）の熱交換効率が鈍ることなく温度調整板（２０．）を冷やすことが出来る。【００１２】  周囲四隅に設けられた偏心軸（２２．）は、放熱板（２１．）とペルチェ素子（２３．）、温度調整板（２０．）を支える柱にもなるため図２の支え板（２．）を無くすことが出来た。図２のこの支え板（２．）が無いことで放熱板（２１．）を大きくすることが出来て熱効率がよくなることになる。偏心軸（２２．）はベルト（２４．）でそれぞれ繋がれて動く揺動回転機構であり、以上の温度調整板（２０．）の温度を下げながら同時に揺動回転を行うことが出来る。【００１３】「実施形態の効果」
この実施形態によれば、機器の中心部に揺動回転機構が無いため以上の理由説明により空気の量や流れを効率よく放熱板（２１．）に当てることが出来る。また、空気の量と流れを効率よく放熱板（２１．）に当てることが出来るので機器全体を性能を損ねることなく小型に出来る。【００１４】「他の実施形態」
図１の揺動回転機構の実施形態では、ベルト（２４．）であったが、他の実施形態では、チェーンでも構わない。
【産業上の利用可能性】
【００１５】  この発明の揺動インキュベータは、製薬分野、医用分野、バイオ分野、食品衛生分野などが考えられる。
【図面の簡単な説明】
【００１６】
【図１】この発明の一実施形態を示す斜視図である。
【図２】従来技術を示す斜視図である。
【符号の説明】
【００１７】１．温度調整板        ２．支え板            ３．レールガイド
４．モータ            ５．ファン            ６．ペルチェ素子
７．放熱板            ８．偏心軸            ２０．温度調整板
２１．放熱板          ２２．偏心軸          ２３．ペルチェ素子
２４．ベルト          ２５．ファン          ２６．モータ
2005124552.tif 000003
【図１】
2005124552.tif 000004
【図２】
2005124552.tif 000005